(57)【要約】【課題】チタニウム合金製のゴルフクラブヘッドを提供する。【解決手段】  チタニウム合金製のゴルフクラブヘッドは、ヘッドベース、ヘッドベースの前端にあるヒッティングフェース、ヘッドベースの上部にある上蓋１、を備える。ヘッドベース、ヒッティングフェース及び上蓋１は、互いに接続されて全体を形成する。上蓋１は、複数の凹部２１を備えた内表面２を有している。凹部２１により、ゴルフクラブヘッドの体積は増加し、重量は減少する。一方、ヘッドベース及びヒッティングフェースの壁部の厚さは減少させる必要がない。上蓋１の重量が減少するため、ゴルフクラブヘッドの重心は低くなる。上蓋１の内表面２にある隣接する２つの凹部２１の間にリブ２２が形成され、これによりゴルフクラブヘッドに加わる衝撃力が効率的に分散され、ゴルフクラブヘッドの強度が向上され得る。【選択図】図４
0003151393.tif 000002
【実用新案登録請求の範囲】
【請求項１】
チタニウム合金製のゴルフクラブヘッドであって、
ヘッドベースと、
前記ヘッドベースの前端にあるヒッティングフェースと、
前記ヘッドベースの上部にある上蓋と、
を備え、
前記ヘッドベース、前記ヒッティングフェース及び前記上蓋は、互いに接続されて全体を形成しており、前記上蓋は、鍛造プロセスにより成形された複数の凹部を備えた内表面を有しており、２つの隣接する凹部の間にはリブが形成され、当該リブは前記上蓋と一体になっていることを特徴とするゴルフクラブヘッド。
【請求項２】
前記凹部が左右対称に配置されていることを特徴とする、請求項１に記載のゴルフクラブヘッド。
【請求項３】
前記凹部のそれぞれの深さが同一であることを特徴とする、請求項１又は請求項２に記載のゴルフクラブヘッド。
【請求項４】
前記複数の凹部のうちの少なくとも２つが、裾広がり形状に配置されていることを特徴とする、請求項１ないし請求項３の何れか１項に記載のゴルフクラブヘッド。
【請求項５】
前記複数の凹部のうちの少なくとも２つが、互いに分割された扇形状に配置されていることを特徴とする、請求項１ないし請求項３の何れか１項に記載のゴルフクラブヘッド。
【請求項６】
前記リブが、漢字の「井」の字状に配置されていることを特徴とする、請求項１ないし請求項３の何れか１項に記載のゴルフクラブヘッド。
【請求項７】
前記リブの少なくとも一部が、ひし形状に形成されていることを特徴とする、請求項１ないし請求項３の何れか１項に記載のゴルフクラブヘッド。
【考案の詳細な説明】
【技術分野】
【０００１】
本考案は、ゴルフクラブヘッドに関する。
【背景技術】
【０００２】
チタニウム合金製のゴルフクラブヘッドは、主にゴルフクラブヘッド＃１として使用され、その重量は通常１９４±３グラムである。これがゴルフボールを打つための重量の最適範囲であることは、度重なる経験により証明されている。ヒッティング時に、ゴルフクラブヘッドの体積が大きいほど、ゴルフクラブヘッドに対する空気抵抗が大きくなり、クラブはより滑らかにスイープする。従って、ヒッティング性能がより向上する。
【０００３】
しかし、ゴルフクラブヘッドの重量を増加させずにゴルフクラブヘッドの体積を増加させるためには、ゴルフクラブヘッドの壁部の厚さを減少させなければならず、これによりゴルフクラブヘッドの強度及び剛性の低下が生じてしまう。従って、ゴルフクラブヘッドの耐用年数及び性能が低下することになる。更に、壁部の厚さの減少により、ゴルフクラブヘッドの重心が変化し得る。
【考案の概要】
【考案が解決しようとする課題】
【０００４】
ゴルフクラブヘッドの強度を確保し、ゴルフクラブヘッドの重心をできる限り正確にヒッティングスポットに一致させることができると同時に、ゴルフクラブヘッドの体積を増加させることができるゴルフクラブヘッドを提供することを目的とする。
【課題を解決するための手段】
【０００５】
そのために、チタニウム合金製のゴルフクラブヘッドが提供される。このゴルフクラブヘッドは、ヘッドベースと、ヘッドベースの前端にあるヒッティングフェースと、ヘッドベースの上部にある上蓋とを備えていても良い。ヘッドベース、ヒッティングフェース及び上蓋は、互いに接続される。そしてゴルフクラブヘッドの全体を構成する。上蓋は内表面を有しており、その内表面には複数の凹部が形成される。ゴルフクラブヘッドの重量は、その凹部によって減少する。その結果、ゴルフクラブヘッドの体積を増加させる際に、ヘッドベース及びヒッティングフェースの壁部の厚さを減少させる必要がない。上蓋の重量が減少するため、ゴルフクラブヘッドの重心は低くなる。上蓋の内表面において、２つの隣接する凹部それぞれの間にリブが形成されている。このため、ゴルフクラブヘッドに加わる衝撃力が効率的に分散され、ゴルフクラブヘッドの強度が向上され得る。
【０００６】
一実施例においては、上蓋の内表面の凹部は左右対称に配置される。また、各凹部の深さは同一である。結果として、上蓋の重量が左右対称に配置され、クラブをより滑らかにスイングすることが可能になる。
【０００７】
別の実施例においては、複数の凹部のうちの少なくとも２つが、互いに分割され、裾広がり形状あるいは扇形状に配置される。
また、上記のような構造を有し得るゴルフクラブヘッドの製造方法も提供される。その製造方法は、チタニウム合金材を切断して上蓋半成品を形成することと、形成した上蓋半成品を予熱することと、予熱した上蓋半成品を型を用いて鍛造して上蓋半成品の一方の表面に交互に凹部とリブを形成することと、を含む。
【０００８】
鍛造された凹部の精度は、型の精度によって決まる。従って、型の精度が維持される限り、繰り返し行われるゴルフクラブヘッドの製造中に凹部の精度を維持することができるため、ヘッド全体の加工精度が向上する。
【０００９】
上記の技術的な解決策によれば、従来技術に勝る次のような利点のうちの少なくとも１つが得られる。
１．ゴルフクラブヘッドの体積が増加するため、ヒッティングをより滑らかにできる。本考案のゴルフクラブヘッドの重量分布によれば、ゴルフクラブヘッドの上部はゴルフクラブヘッドの下部より軽い。従って、ゴルフクラブヘッドの重心が低くなってその重心がヒッティングスポットに近くなるか、あるいはその重心をヒッティングスポットにほぼ一致させることができるため、ヒッティングの効率性が向上する。
２．ゴルフクラブヘッドの強度が向上するため、ゴルフクラブヘッドの性能を最適化することができるとともに、ゴルフクラブヘッドの耐用年数を長くすることができる。
【図面の簡単な説明】
【００１０】
【図１】一実施例によるゴルフクラブヘッドの正面図である。
【図２】図１の実施例によるゴルフクラブヘッドの上面図である。
【図３】図１のゴルフクラブヘッドにおける上蓋の正面図である。
【図４】図３の方向Ａから見た上蓋の部分を示す図である。
【図５】別の実施例の上蓋の部分を示す図である。
【考案を実施するための形態】
【００１１】
以下、添付の図面を参照して実施例を詳細に説明する。
図１及び図２に示すように、ゴルフクラブヘッド１０は、ヘッドベース３と、ヘッドベース３の前端にあるヒッティングフェース４と、ヘッドベース３の上部にある上蓋１とを備える。ヘッドベース３は、クラブ（図示なし）と接続するためのネック５を有する。上蓋１は、内表面２と、内表面２と反対側の外表面６とを有する。ヘッドベース３、ヒッティングフェース４及び上蓋１は互いに接続される。そして、ゴルフクラブヘッド１０の閉じた全体を構成する。
【００１２】
次に図３及び図４に示すように、複数の凹部２１が上蓋１の内表面２に形成されている。複数の凹部２１は、左右対称に配置される。また、複数の凹部２１のそれぞれは同じ深さを有する。このようにすることで、上蓋１の重量を左右対称に配置することができる。そのため、クラブのより滑らかなスイングが可能となる。
【００１３】
図４は、凹部２１の配置の一例を示している。図４に示されているように、複数の凹部２１のうち上蓋１の上方に位置する凹部は裾広がり形状に配置され、上蓋１の下方に位置する凹部は扇形状に配置されている。これにより、ゴルフクラブヘッドに与えられる衝撃力が好ましく分散される。あるいは、必要に応じて、全ての凹部２１を裾広がり形状又は扇形状に配置することもできる。上記の形状を有する凹部２１は、対応する形状の型によって簡単に形成することができる。
【００１４】
図５は、凹部が漢字の「井」の字状に構成されている、別の実施例の上蓋１の部分を示す図である。
以上においては、複数の凹部２１のそれぞれが同じ深さを有する。しかし、本考案はこれに限定されない。当然のことながら、クラブが滑らかにスイングでき、かつ／あるいは、ゴルフクラブヘッド１０のヒッティングスポットがそのゴルフクラブヘッド１０の重心と一致するように凹部２１が形成されるならば、複数の凹部２１のそれぞれは異なる深さを有していてもよい。
【００１５】
凹部２１は、当技術分野における鍛造プロセスによって成形されることが好ましい。まず、チタニウム合金材を切断して半成品を形成し、形成した半成品を予熱する。予熱した半成品を、更に、突き出た歯を有する型を用いて鍛造し、当該半成品の一方の表面、すなわち完成した上蓋１の内表面２に当たる箇所、に交互に凹部２１とリブ２２を形成する。上蓋１に形成される凹部２１の深さ、幅及び形状は、鍛造型によって決定されるため、上蓋１の加工精度は繰り返し加工を行っても維持することができる。リブ２２は、漢字の「井」の字状に配置される。また、リブ２２は上蓋１と一体的に形成される。上蓋１の強度は、形成されたリブ２２により維持することができる。更に、チタニウム合金の内部応力は鍛造によって変化する。鍛造により上蓋１の圧縮強度を向上させることができる。
【００１６】
別の実施例においては、図５に示されているように、少なくとも一部のリブ２２がひし形状に配置されていてもよい。
ヘッドベース３及びヒッティングフェース４は、本文中では省略されている当技術分野で周知の方法を用いて製造されてもよい。
【００１７】
本考案は、上記実施形態に限定されるものではなく、本考案の技術範囲内において種々の形態をとり得る。
【符号の説明】
【００１８】
１…上蓋、２…内表面、３…ヘッドベース、４…ヒッティングフェース、５…ネック、６…外表面、１０…ゴルフクラブヘッド、２１…凹部、２２…リブ。
【図１】
0003151393.tif 000003
【図２】
0003151393.tif 000004
【図３】
0003151393.tif 000005
【図４】
0003151393.tif 000006
【図５】
0003151393.tif 000007